【手続補正書】
【提出日】平成25年8月6日(2013.8.6)
【手続補正１】
【補正対象書類名】明細書
【補正対象項目名】０００６
【補正方法】変更
【補正の内容】
【０００６】
本発明に係る記録装置は、インクを吐出するための複数の吐出口が所定方向に配列された記録ヘッドと記録媒体との前記所定方向と交差する往方向および復方向への相対的な複数回の走査を行う走査手段と、前記複数回の走査のそれぞれにおける、前記記録媒体の単位領域に形成すべき画素の数に対する当該走査にて形成する画素の数の比率である記録率を設定する設定手段と、前記走査手段による前記相対的な走査を伴って、前記設定手段により設定された前記記録率にしたがって前記記録ヘッドからインクを吐出させるように前記記録ヘッドを制御する制御手段と、前記往方向への走査における前記記録媒体上の前記所定方向におけるインクの着弾位置のずれ量と、前記復方向への走査におけるずれ量と、に関する情報を取得する取得手段と、を有し、前記設定手段は、前記取得手段により取得された前記情報が示す前記往方向のずれ量と前記復方向のずれ量とに応じて、前記複数回の走査のそれぞれにおける記録率を設定することを特徴とする。
【手続補正２】
【補正対象書類名】明細書
【補正対象項目名】００１９
【補正方法】変更
【補正の内容】
【００１９】
図３は、第１の記録素子Ｈ１１００および第２の記録素子Ｈ１１０１のインク吐出口形成面の構成を示す図である。図3に示すように、インク吐出口形成面１４０には、シアン、マゼンタ、イエロー、ブラックのインクをそれぞれ吐出するための複数のインク吐出口１３が所定方向に直線状に配列されたノズル列１４１〜１４４が形成されている。ノズル列１４１〜１４４は、走査方向に配列されている。
【手続補正３】
【補正対象書類名】明細書
【補正対象項目名】００２３
【補正方法】変更
【補正の内容】
【００２３】
ここで、表１は、往方向における走査における着弾ずれ量が相対的に小さく、復方向の走査における着弾ずれ量が相対的に大きい場合の、記録率の設定例を示している。すなわち、インク吐出口１３の配列方向のインクの着弾ずれ量が相対的大きい走査方向である復方向の記録率が４５%と相対的に低く、着弾ずれ量が相対的に小さい走査方向である往方向の記録率が相対的に高い５５%となっている。なお、各走査方向において着弾ずれが生じない場合には、記録率は往方向と復方向とでそれぞれ５０%に設定される。ここで、記録率とは単位領域に含まれる画素の内、記録を許容する画素の割合である。すなわち、記録率とは、複数回の走査のそれぞれにおける、記録媒体の単位領域に形成すべき画素の数に対する当該走査にて形成する画素の数の比率である。記録率を変更する一般的な手法としては、画素ごとにインク滴の吐出または非吐出を定めた２値の記録データに対して、画素ごとにインク滴の吐出を許容するかを定めたマスクパターンを適用し、記録データを間引くことにより行われる。
【手続補正４】
【補正対象書類名】明細書
【補正対象項目名】００２６
【補正方法】変更
【補正の内容】
【００２６】
記録率が相対的に高いと、ノズル列直下の空気がインク滴によって押し退けられるため、ノズル列のインク吐出口の配列方向の中央領域（中央側）に向けて、気流が発生する。そのため、図５（Ａ）から分かるように、ノズル列の端部領域から吐出されるインク滴は、中央領域側にずれやすくなる。このとき、ノズル列の端部インク吐出口から吐出されたインク滴のずれ量をＤ１とする。
【手続補正５】
【補正対象書類名】特許請求の範囲
【補正対象項目名】全文
【補正方法】変更
【補正の内容】
【特許請求の範囲】
【請求項１】
インクを吐出するための複数の吐出口が所定方向に配列された記録ヘッドと記録媒体との前記所定方向と交差する往方向および復方向への相対的な複数回の走査を行う走査手段と、
前記複数回の走査のそれぞれにおける、前記記録媒体の単位領域に形成すべき画素の数に対する当該走査にて形成する画素の数の比率である記録率を設定する設定手段と、
前記走査手段による前記相対的な走査を伴って、前記設定手段により設定された前記記録率にしたがって前記記録ヘッドからインクを吐出させるように前記記録ヘッドを制御する制御手段と、
前記往方向への走査における前記記録媒体上の前記所定方向におけるインクの着弾位置のずれ量と、前記復方向への走査におけるずれ量と、に関する情報を取得する取得手段と、を有し、
前記設定手段は、前記取得手段により取得された前記情報が示す前記往方向のずれ量と前記復方向のずれ量とに応じて、前記複数回の走査のそれぞれにおける記録率を設定することを特徴とする記録装置。
【請求項２】
前記取得手段は、前記往方向および復方向への走査のそれぞれに対し予め定められた基準の記録率にしたがってインクを吐出した際の、前記往方向への走査における前記記録媒体上の前記所定方向における前記複数の吐出口の列の中央側へのずれ量と、前記復方向への走査における前記記録媒体上の前記所定方向における前記複数の吐出口の列の中央側へのずれ量と、に関する情報を取得し、
前記設定手段は、前記往方向および復方向への走査のうち一方の走査における前記ずれ量が他方の走査における前記ずれ量よりも大きい場合に、前記一方の走査における前記記録率が前記一方の走査に対応する前記基準の記録率よりも低くなるように、前記複数回の走査のそれぞれにおける記録率を設定することを特徴とする請求項１に記載の記録装置。
【請求項３】
前記往方向への走査に対応する前記基準の記録率は、前記復方向への走査に対応する前記基準の記録率と等しく、
前記設定手段は、前記一方の走査における前記記録率が、前記他方の走査における前記記録率よりも低くなるように、前記複数回の走査のそれぞれにおける記録率を設定することを特徴とする請求項２に記載の記録装置。
【請求項４】
前記取得手段は、前記往方向のずれ量と前記復方向のずれ量との差に関する情報を取得し、
前記設定手段は、前記取得手段により取得された前記情報が示す前記往方向のずれ量と前記復方向のずれ量との差に応じて、前記複数回の走査のそれぞれにおける記録率を設定することを特徴とする請求項１から請求項３のいずれか１項に記載の記録装置。
【請求項５】
前記設定手段は、前記往方向のずれ量と前記復方向のずれ量との差が大きいほど、前記往方向への走査における前記記録率と前記復方向への走査における前記記録率との差が大きくなるように、前記複数回の走査のそれぞれにおける記録率を設定することを特徴とする請求項４に記載の記録装置。
【請求項６】
前記制御手段は、前記往方向のずれ量と前記復方向のずれ量を取得するためのテストパターンを前記記録ヘッドに形成させ、
前記取得手段は、前記テストパターンに基づくずれ量に関する情報を取得することを特徴とする請求項１から請求項５のいずれか１項に記載の記録装置。
【請求項７】
前記取得手段は、形成された前記テストパターンの光学特性をセンサにより測定することによりずれ量に関する情報を取得することを特徴とする請求項６に記載の記録装置。
【請求項８】
前記取得手段は、形成された前記テストパターンに関わるユーザからの入力に基づいてずれ量に関する情報を取得することを特徴とする請求項６に記載の記録装置。
【請求項９】
前記走査手段による前記記録ヘッドと前記記録媒体との走査を偶数回行って記録を行う第１の記録モードと、前記走査手段による前記記録ヘッドと前記記録媒体との走査を奇数回行って記録を行う第２の記録モードと、を実行可能であって、
前記設定手段は、前記第１の記録モードにおいて、ずれ量が相対的に大きい方向への走査における前記記録率がずれ量が相対的に小さい方向への走査における前記記録率よりも低くなり、且つ、前記第２の記録モードにおける前記往方向への走査における前記記録率と前記復方向への走査における前記記録率との差が、前記第１の記録モードにおける前記往方向への走査における前記記録率と前記復方向への走査における前記記録率との差よりも小さくなるように、前記第１、第２の記録モードを実行する際の前記複数回の走査のそれぞれにおける記録率を設定することを特徴とする請求項１から請求項８のいずれか１項に記載の記録装置。
【請求項１０】
前記設定手段は、前記第２の記録モードにおいて、前記往方向への走査における前記記録率と前記復方向への走査における前記記録率とがほぼ等しくなるように、前記第２の記録モードを実行する際の前記複数回の走査のそれぞれにおける記録率を設定することを特徴とする請求項９に記載の記録装置。
【請求項１１】
前記設定手段は、前記第１の記録モードにおいて、前記往方向への走査におけるずれ量と前記復方向への走査におけるずれ量との差に応じて、前記複数回の走査のそれぞれにおける記録率を設定することを特徴とする請求項９または請求項１０に記載の記録装置。
【請求項１２】
前記走査手段による前記記録ヘッドと前記記録媒体との走査を第１の回数行って記録を行う第３の記録モードと、前記走査手段による前記記録ヘッドと前記記録媒体との走査を前記第１の回数よりも多い第２の回数行って記録を行う第４の記録モードを実行可能であって、
前記設定手段は、前記第３の記録モードにおいて、ずれ量が相対的に大きい方向への走査における前記記録率がずれ量が相対的に小さい方向への走査における前記記録率よりも低くなり、且つ、前記第４の記録モードにおける前記往方向への走査における前記記録率と前記復方向への走査における前記記録率との差が、前記第３の記録モードにおける前記往方向への走査における前記記録率と前記復方向への走査における前記記録率との差よりも小さくなるように、前記第３、第４の記録モードを実行する際の前記複数回の走査のそれぞれにおける記録率を設定することを特徴とする請求項１から請求項１１のいずれか１項に記載の記録装置。
【請求項１３】
前記設定手段は、前記第４の記録モードにおいて、前記往方向への走査における前記記録率と前記復方向への走査における前記記録率とがほぼ等しくなるように、前記第４の記録モードを実行する際の前記複数回の走査のそれぞれにおける記録率を設定することを特徴とする請求項１２に記載の記録装置。
【請求項１４】
前記設定手段は、インクの吐出を許容する画素を定めたマスクによって、前記複数回の走査のそれぞれにおける記録率を設定することを特徴とする請求項１から請求項１３のいずれか１項に記載の記録装置。
【請求項１５】
インクを吐出するための複数の吐出口が所定方向に配列された記録ヘッドと記録媒体との前記所定方向と交差する往方向および復方向への相対的な複数回の走査を行う走査工程と、
前記複数回の走査のそれぞれにおける、前記記録媒体の単位領域に形成すべき画素の数に対する当該走査にて形成する画素の数の比率である記録率を設定する設定工程と、
前記走査工程による前記相対的な走査を伴って、前記設定工程により設定された前記記録率にしたがって前記記録ヘッドからインクを吐出させるように前記記録ヘッドを制御する制御工程と、
前記往方向への走査における前記記録媒体上の前記所定方向におけるインクの着弾位置のずれ量と、前記復方向への走査におけるずれ量と、に関する情報を取得する取得工程と、を有し、
前記設定工程は、前記取得工程により取得された前記情報が示す前記往方向のずれ量と前記復方向のずれ量とに応じて、前記複数回の走査のそれぞれにおける記録率を設定することを特徴とする記録方法。